(57)【要約】【課題】ユーザからの適用する信号フォーマットの変更要求に即応可能なＯＶＰＮを提供する。【解決手段】ＯＶＰＮのユーザが、どのようなレイヤ１信号をＯＶＰＮに接続したかを自動的に判定し、ユーザからのデータ線を光スイッチを介して複数種類の信号変換器に接続する。このように、光スイッチを介することで、様々なレイヤ１信号をＯＶＰＮに収容可能となる。【選択図】　図１
2004080715.tif 000002
【特許請求の範囲】
【請求項１】
複数の拠点と、この複数の拠点間にＯＶＰＮ（Ｏｐｔｉｃａｌ　ＶｉｒｔｕａｌＰｒｉｖａｔｅ　Ｎｅｔｗｏｒｋ）を構成する光専用線を設定する手段を備えた光クロスコネクト装置と、この光クロスコネクト装置を制御する手段とを含むＯＶＰＮシステムに備えられ、前記拠点のユーザ装置を収容する手段を備えたＯＶＰＮ終端装置において、
前記ユーザ装置に適用された第一の信号フォーマットと前記ＯＶＰＮに適用された前記第一の信号フォーマットとは異なる第二の信号フォーマットとを相互に変換する手段を備え、
当該相互に変換する手段は、複数の異なる前記第一の信号フォーマットに対応して複数設けられ、
前記ユーザ装置から送出される前記第一の信号フォーマットの種別を識別する手段と、
この識別する手段の識別結果に基づき複数の前記相互に変換する手段のいずれかを選択する手段と
を備えたことを特徴とするＯＶＰＮ終端装置。
【請求項２】
複数の拠点と、この複数の拠点間にＯＶＰＮ（Ｏｐｔｉｃａｌ　ＶｉｒｔｕａｌＰｒｉｖａｔｅ　Ｎｅｔｗｏｒｋ）を構成する光専用線を設定する手段を備えた光クロスコネクト装置と、この光クロスコネクト装置を制御する手段とを含むＯＶＰＮシステムに備えられ、前記拠点のユーザ装置を収容する手段を備えたＯＶＰＮ終端装置において、
前記ユーザ装置に適用された第一の信号フォーマットと前記ＯＶＰＮに適用された前記第一の信号フォーマットとは異なる第二の信号フォーマットとを相互に変換する手段を備え、
当該相互に変換する手段は、複数の異なる前記第一の信号フォーマットに対応して複数設けられ、
前記ユーザ装置から送出される前記第一の信号フォーマットによるデータ信号を複数の前記相互に変換する手段に順次入力させその変換処理過程におけるエラーを検出する手段と、
このエラーを検出する手段がエラーを検出しない前記相互に変換する手段を前記ユーザ装置から送出される前記第一の信号フォーマットによるデータ信号に適合する前記相互に変換する手段として選択する手段と
を備えたことを特徴とするＯＶＰＮ終端装置。
【請求項３】
前記エラーを検出する手段のいずれもがエラーを検出したときには、前記ユーザ装置に対してその旨を通知する手段を備えた請求項２記載のＯＶＰＮ終端装置。
【請求項４】
前記相互に変換する手段は、前記ユーザ装置から送出される前記第一の信号フォーマットを前記第二の信号フォーマットによりカプセリングして前記ＯＶＰＮに転送する手段と、前記ＯＶＰＮから送出される前記第二の信号フォーマットによりカプセリングされた信号を前記第一の信号フォーマットにデカプセリングして前記ユーザ装置に転送する手段とを備えた
請求項１ないし３のいずれかに記載のＯＶＰＮ終端装置。
【請求項５】
一端に前記ユーザ装置を収容し、他端に前記光クロスコネクトが接続された光スイッチを備え、前記相互に変換する手段は、当該光スイッチの少なくとも一部の前記ユーザ装置と対向する側のポートに設けられた請求項１ないし３のいずれかに記載のＯＶＰＮ終端装置。
【請求項６】
一端に前記ユーザ装置を収容し、他端に前記光クロスコネクトが接続された光スイッチを備え、前記相互に変換する手段は、当該光スイッチの少なくとも一部の前記ユーザ装置と対向する側のポートに設けられその変換出力は当該光スイッチの少なくとも一部の前記ユーザ装置を収容する側のポートに回帰する請求項１ないし３のいずれかに記載のＯＶＰＮ終端装置。
【請求項７】
請求項１ないし６のいずれかに記載のＯＶＰＮ終端装置を備えたことを特徴とするＯＶＰＮシステム。
【発明の詳細な説明】
【０００１】
【発明の属する技術分野】
本発明は、ＶＰＮ（Ｖｉｒｔｕａｌ　Ｐｒｉｖａｔｅ　Ｎｅｔｗｏｒｋ）に関する。特に、マルチレイヤネットワークにおける様々なレイヤ１信号を収容可能であるレイヤ１ＶＰＮやＯＶＰＮ（Ｏｐｔｉｃａｌ　Ｖｉｒｔｕａｌ　Ｐｒｉｖａｔｅ　Ｎｅｔｗｏｒｋ）と呼ばれるＶＰＮに関する。
【０００２】
【従来の技術】
ＶＰＮは、公衆ネットワークを利用しながら、あたかもプライベートにネットワークを利用しているような環境をユーザに提供するサービスである。従来の技術では、図１２に示すように、ユーザが拠点間でＯＶＰＮを構成する場合に、拠点間に光専用線２３〜２５をネットワークプロバイダから借りて接続し、ＯＶＰＮを構成するのが一般的である。この場合に、光専用線２３〜２５は、光クロスコネクト装置（以下では、ＯＸＣと記す）１０〜１２によって設定される。また、ＯＸＣ１０〜１２は、ＯＶＰＮ制御端末１３〜１５から制御用専用線１〜６によって設定される。ＯＶＰＮ制御端末１３〜１５をユーザに提供する場合には、ネットワークプロバイダが保有するＯＸＣ１０〜１２の一部機能の制御をユーザが行えるようにしている。
【０００３】
このようなＯＶＰＮにおいて、レイヤ１信号をトランスペアレントに伝達する機能を有する専用線を構成する技術として、ＳＤＨ／ＳＯＮＥＴや、ＯＴＮ（Ｏｐｔｉｃａｌ　Ｔｒａｎｓｐｏｒｔ　Ｎｅｔｗｏｒｋ）という技術がある。様々なレイヤ１信号（例えば、ＰＤＨ、Ｅｔｈｅｒｎｅｔ（登録商標）、Ｇｉｇａｂｉｔ　Ｅｔｈｅｒｎｅｔ、Ｆｉｂｅｒ　ｃｈａｎｎｅｌ、ＳＤＨ／ＳＯＮＥＴ、ＯＴＮ等）を、網の入口でＳＤＨ／ＳＯＮＥＴのパスペイロード、あるいはＯＴＮの光チャネル（ＯＣｈ）ペイロードに収容する信号変換器と、網の出口でペイロードから収容したレイヤ１信号を取り出して出力する信号変換器を介して伝達することで、レイヤ１のディジタル信号をトランスペアレントに伝達する機能を提供している。現状の技術レベルでは、Ｇｉｇａｂｉｔ　ＥｔｈｅｒｎｅｔとＦｉｂｅｒ　ｃｈａｎｎｅｌといった、一部の例外を除くと、同一の信号変換器で複数のレイヤ１信号を取り扱うことができない。
【０００４】
したがって、ＯＶＰＮを上述の信号変換器を用いて構成した場合に、ＯＶＰＮを利用するユーザは、予め使用するレイヤ１信号をＯＶＰＮ提供者に届け出を行い、所望の信号変換器をＯＶＰＮの終端装置に配備してもらわなくてはならない。
【０００５】
【発明が解決しようとする課題】
このように、従来のＯＶＰＮでは、レイヤ１信号をトランスペアレントに伝達するという機能を提供することは可能であるが、収容するレイヤ１信号をＯＶＰＮユーザが変更したいという要求に対しては、信号変換器の取替えやファイバの接続変更といった作業が必要となり、ユーザからの変更要求に対して即応できないという問題がある。
【０００６】
本発明は、このような背景に行われたものであって、ユーザからの適用する信号フォーマットの変更要求に即応可能なＯＶＰＮ終端装置およびシステムを提供することを目的とする。
【０００７】
【課題を解決するための手段】
本発明では、ＯＶＰＮのユーザが、どのようなレイヤ１信号をＯＶＰＮに接続したかをＯＶＰＮ終端装置が自動的に検出することを第一の特徴としている。
【０００８】
また、ユーザからのデータ線を光スイッチを介して複数種類の信号変換器に接続することが第二の特徴である。光スイッチを介することで、様々なレイヤ１信号をＯＶＰＮに収容可能となる。
【０００９】
さらに、自動的に検出したユーザからのレイヤ１信号の種別に基づいて光スイッチを制御する制御装置を用いることが第三の特徴である。これにより、ユーザが特別な操作を行うことなく、ＯＶＰＮのエンド・エンドでのレイヤ１信号の種別変更に即応することが可能となる。
【００１０】
すなわち、本発明の第一の観点は、複数の拠点と、この複数の拠点間にＯＶＰＮを構成する光専用線を設定する手段を備えた光クロスコネクト装置と、この光クロスコネクト装置を制御する手段とを含むＯＶＰＮシステムに適用されるＯＶＰＮ終端装置である。
【００１１】
ここで、本発明の特徴とするところは、前記拠点のユーザ装置に適用された第一の信号フォーマットと前記ＯＶＰＮに適用された前記第一の信号フォーマットとは異なる第二の信号フォーマットとを相互に変換する手段を備え、当該相互に変換する手段は、複数の異なる前記第一の信号フォーマットに対応して複数設けられ、前記ユーザ装置から送出される前記第一の信号フォーマットの種類を識別する手段と、この識別する手段の識別結果に基づき複数の前記相互に変換する手段のいずれかを選択する手段とを備えるところにある。
【００１２】
あるいは、前記ユーザ装置から送出される前記第一の信号フォーマットによるデータ信号を複数の前記相互に変換する手段に順次入力させその変換処理過程におけるエラーを検出する手段と、このエラーを検出する手段がエラーを検出しない前記相互に変換する手段を前記ユーザ装置から送出される前記第一の信号フォーマットによるデータ信号に適合する前記相互に変換する手段として選択する手段とを備えてもよい。この場合には、前記エラーを検出する手段のいずれもがエラーを検出したときには、前記ユーザ装置に対してその旨を通知する手段を備え、ユーザが希望する前記第一の信号フォーマット種別の受け入れが不可能であることを通知することが望ましい。
【００１３】
これによれば、拠点のユーザは、自己が用いる前記第一の信号フォーマットの種類をＯＶＰＮ終端装置に対して申告する必要がない。したがって、拠点のユーザは、自己が用いる信号フォーマットの種類を意識することなく、ＯＶＰＮを利用することができ、ユーザにとっての利便性を向上させることができる。
【００１４】
これにより、ＶＰＮを構成する拠点は、その適用する信号フォーマットによらず柔軟にＶＰＮを構成することができる。
【００１５】
また、前記相互に変換する手段は、前記拠点から送出される前記第一の信号フォーマットを前記第二の信号フォーマットによりカプセリングして前記ＯＶＰＮに転送する手段と、前記ＯＶＰＮから送出される前記第二の信号フォーマットによりカプセリングされた信号を前記第一の信号フォーマットにデカプセリングして前記拠点に転送する手段とを備えることもできる。
【００１６】
例えば、一端に前記拠点を収容し、他端に前記光クロスコネクトが接続された光スイッチを備え、前記相互に変換する手段は、当該光スイッチの少なくとも一部の前記拠点と対向する側のポートに設けられる構成とすることができる。
【００１７】
本構成によれば、光スイッチの入出力ポートに前記相互に変換する手段を設けることができるため、既存の光スイッチの規模を拡大することなく、本構成を実現することができる。ただし、所望する信号フォーマットに対応する前記相互に変換する手段のポート位置が所望する方路と異なる場合には、後段のＯＸＣにおいて方路を修正する必要がある。
【００１８】
あるいは、一端に前記拠点を収容し、他端に前記光クロスコネクトが接続された光スイッチを備え、前記相互に変換する手段は、当該光スイッチの少なくとも一部の前記拠点と対向する側のポートに設けられその変換出力は当該光スイッチの少なくとも一部の前記拠点を収容する側のポートに回帰する構成とすることもできる。
【００１９】
本構成によれば、前記相互に変換する手段を設けるためにポートを占有するので、既存の光スイッチの規模を拡大する必要があるが、光スイッチの方路を任意に設定することができる。
【００２０】
本発明の第二の観点は、本発明のＯＶＰＮ終端装置を備えたことを特徴とするＯＶＰＮシステムである。
【００２１】
【発明の実施の形態】
（第一実施例）
本発明第一実施例を図１ないし図４を参照して説明する。説明を簡単化するために、図１では、左上のユーザ装置２０−１、２１−１から左下のユーザ装置２０−２への信号が伝送される例を示しているが、通常の通信は、同時に反対方向へも信号が伝送される。また、図１に示すＯＶＰＮ終端装置３０および８０、ＳＤＨ網制御装置４０および６０、ＳＤＨクロスコネクト装置５０および７０はそれぞれ同一構成の装置であり、以下では、説明を簡単化するために、主としてＯＶＰＮ終端装置３０、ＳＤＨ網制御装置４０、ＳＤＨクロスコネクト装置５０について説明し、ＯＶＰＮ終端装置８０、ＳＤＨ網制御装置６０、ＳＤＨクロスコネクト装置７０の同一内容の説明は省略する。以下では、ＳＤＨを例にとって説明を行うがＳＯＮＥＴであっても同様に説明することができる。
【００２２】
ＳＤＨ網制御装置４０によりＳＤＨクロスコネクト装置５０の方路が設定され、拠点間にレイヤ１トランスペアレント専用線網としてのＳＤＨ網を介したＯＶＰＮが構成される。なお、ＳＤＨ網制御装置４０は、各拠点のユーザ装置２０−１、２１−１により制御することができる。
【００２３】
本実施例では、ＯＶＰＮ終端装置３０は、ユーザ装置２０−１、２０−２、２１−１に適用された第一の信号フォーマットであるＧｉｇａｂｉｔ　ＥｔｈｅｒｎｅｔまたはＡＴＭとＯＶＰＮに適用された前記第一の信号フォーマットとは異なる第二の信号フォーマットであるＳＤＨとを相互に変換する信号変換器であるコンバータ３３、３４を備え、当該コンバータ３３、３４は、複数の異なる前記第一の信号フォーマットに対応して複数設けられる。どのコンバータ３３または３４を用いるかは、光スイッチ３２を制御して決定する。
【００２４】
本実施例では、ＯＶＰＮ終端装置３０は、ユーザ装置２０−１、２１−１から送出される第一の信号フォーマットの種類を判定する信号判定部３７を備え、光スイッチ制御装置３１は、信号判定部３７の判定結果に基づき複数の信号変換器３３、３４のいずれかを選択する。
【００２５】
信号判定部３７の構成は図２に示すとおりである。信号判定部３７は、複数のエラー検出部７−１〜７−３と判定部８とを備える。エラー検出部７−１〜７−３は、それぞれ特定の信号フォーマットに対する演算シミュレーション処理を実行するように構成される。この演算シミュレーション処理は、特定の一種類の信号フォーマット以外の信号フォーマットでは必ずエラーを発生するように仕組まれている。判定部８は、エラー検出部７−１〜７−３による演算シミュレーション処理の結果を監視しており、いずれのエラー検出部７−１〜７−３でエラーが発生しなかったかを検出することにより、入力された信号フォーマットの種類を特定する。この判定結果は光スイッチ制御装置３１に通知される。
【００２６】
本実施例における光スイッチ配備例その１としては、図３に示すように、一端にユーザ装置２０−１、２１−１を収容し、他端にＳＤＨクロスコネクト装置５０が接続された光スイッチ３２を備え、コンバータ３３、３４は、当該光スイッチ３２の少なくとも一部のユーザ装置２０−１、２１−１と対向する側のポートに設けられる。これにより、光スイッチ制御装置３１による光スイッチ３２の方路切り替えにより、任意のコンバータ３３または３４を選択することができる。
【００２７】
図４に、本実施例における光スイッチ配備例その２を示す。図１および図３の光スイッチ配備例では、光スイッチ３２を切替えて異なる信号変換器を選択した際に、信号変換器の配置位置によってはＳＤＨクロスコネクト装置５０の再設定が必要となる場合があるが、図４のようにコンバータ３３、３４と光スイッチ３２とを接続することにより、ＳＤＨクロスコネクト装置５０の再設定を不要とすることができる。
【００２８】
次に本実施例の動作をユーザ装置２０−１に着目して説明する。図１に示すように、ユーザ装置２０−１からデータ線と制御線がＯＶＰＮ終端装置３０に接続される。制御線は、光スイッチ制御装置３１に接続されており、データ線によりデータが送出される旨が通知される。光スイッチ制御装置３１は信号判定部３７の切替器９をエラー検出部７−１〜３側に切り替える。信号判定部３７は、ユーザ装置２０−１から送出されたデータ信号を受信して前述した手順にしたがって信号種別を判定する。この判定結果は光スイッチ制御装置３１に通知される。光スイッチ制御装置３１は、通知された信号フォーマットをサポートするコンバータ３３あるいは３４の空きポートにデータ線が接続されるように光スイッチ３２を制御するとともに切替器９をデータ線側に切り戻す。
【００２９】
信号判定部３７がデータ信号の種別判定に要する期間は、送出されたデータ信号が失われる可能性があるので、本実施例では、当該期間は、ユーザ装置２０−１は、失われても通信に支障をきたさないテスト信号を送出することにした。
【００３０】
本実施例では、コンバータ３３として、Ｇｉｇａｂｉｔ　ＥｔｈｅｒｎｅｔをＳＤＨに収容するものと、コンバータ３４として、ＡＴＭ信号をＳＤＨに収容するものの２種類が用意されている例を示している。本実施例では、ＳＤＨ信号と、収容されるレイヤ１信号の数が１：１である。
【００３１】
光スイッチ３２の接続状態は、実線の矢印で示してある。現在は、ＡＴＭ用のコンバータ３４が選択されており、ユーザ装置にはＡＴＭ機器が接続されている。ユーザが、ユーザ装置にＧｉｇａｂｉｔ　Ｅｔｈｅｒｎｅｔを接続する場合には、制御線から光スイッチ制御装置３１にコマンドを送出する。光スイッチ３２は、点線の矢印のように切り替えられる。この際に、送信側（図中上側の光スイッチ３２）と受信側（図中下側の光スイッチ８２）の両方を切り替える必要がある。
【００３２】
両方を切り替える方法としては、送信側の制御線を介して光スイッチ制御装置３１に送られた切替要求を受信側の光スイッチ制御装置８１に転送する方法や、受信側のユーザ装置からも切替要求を送る方法等が考えられるが、どのような方法を使用するかによって本発明の形態が変更されるわけではない。
【００３３】
ユーザからの切替要求にしたがって、レイヤ１トランスペアレント専用線が、ＡＴＭ用からＧｉｇａｂｉｔ　Ｅｔｈｅｒｎｅｔ用に変更される。
【００３４】
（第二実施例）
第二実施例を図５および図６を参照して説明する。第二実施例では、図５に示すように、ＯＶＰＮ終端装置３０は、ユーザ装置２０−１、２１−１から送出される第一の信号フォーマット＃１を第二の信号フォーマット＃２によりカプセリングしてＳＤＨ網に転送し、ＳＤＨ網から送出される第二の信号フォーマット＃２によりカプセリングされた信号を第一の信号フォーマット＃１にデカプセリングしてユーザ装置２０−２に転送するカプセリング部３５、３６を備える。なお、図１において、ＯＶＰＮ終端装置３０の符号３３、３４をそれぞれ符号３５、３６に置き換えた構成である。
【００３５】
すなわち、図５に示すように、一端にユーザ装置２０−１、２１−１を収容し、他端にＳＤＨクロスコネクト装置５０が接続された光スイッチ３２を備え、カプセリング部３５、３６は、当該光スイッチ３２の少なくとも一部のユーザ装置２０−１、２１−１と対向する側のポートに設けられる。これにより、光スイッチ３２の方路切り替えにより、任意のカプセリング部３５または３６を選択することができる。
【００３６】
あるいは、図６に示すように、一端にユーザ装置２０−１、２１−１を収容し、他端にＳＤＨクロスコネクト装置５０が接続された光スイッチ３２を備え、カプセリング部３５、３６は、当該光スイッチ３２の少なくとも一部のユーザ装置２０−１、２１−１と対向する側のポートに設けられその変換出力は当該光スイッチ９２の少なくとも一部の拠点２０−１を収容する側のポートに回帰する。
【００３７】
各カプセリング部３５、３６は、それぞれ異なる信号フォーマットのカプセリングまたはデカプセリングに対応できるようにしておき、所望する信号フォーマットに対応するカプセリング部３５、３６を光スイッチ３２の方路切り替えにより選択する。
【００３８】
本実施例で説明したカプセリング部３５、３６を備えたＯＶＰＮ終端装置３０の構成は、第一、第三、第四の各実施例におけるコンバータ３３、３４を備えたＯＶＰＮ終端装置３０の構成とそれぞれ置き替えることができる。置き替えた場合には、説明文中のコンバータ３３、３４をカプセリング部３５、３６にそれぞれ置き替えて説明することができる。
【００３９】
（第三実施例）
第三実施例を図７および図８を参照して説明する。第三実施例では、光スイッチ３２のＯＶＰＮ側に信号判定トランク９０を備える。信号判定トランク９０は、エラー検出部７−１〜３および判定部８を備えた構成である。
【００４０】
次に本実施例の動作をユーザ装置２０−１に着目して説明する。図７に示すように、ユーザ装置２０−１からデータ線と制御線がＯＶＰＮ終端装置３０に接続される。制御線は、光スイッチ制御装置３１に接続されており、データ線によりデータが送出される旨が通知される。光スイッチ制御装置３１は光スイッチ３２を切り替えてユーザ装置２０−１を信号判定トランク９０に接続する。信号判定トランク９０は、ユーザ装置２０−１から送出されたデータ信号を受信して第一実施例で説明した手順にしたがって信号種別を判定する。この判定結果は光スイッチ制御装置３１に通知される。光スイッチ制御装置３１は、通知された信号フォーマットをサポートするコンバータ３３あるいは３４の空きポートにデータ線が接続されるように光スイッチ３２を制御する。
【００４１】
信号判定トランク９０がデータ信号の種別判定に要する期間は、送出されたデータ信号が失われる可能性があるので、本実施例では、当該期間は、ユーザ装置２０−１は、失われても通信に支障をきたさないテスト信号を送出することにした。他の説明は、第一および第二実施例と同様である。
【００４２】
（第四実施例）
第四実施例を図９ないし図１１を参照して説明する。説明を簡単化するために、図９では、左上のユーザ装置２０−１、２１−１から左下のユーザ装置２０−２への信号が伝送される例を示しているが、通常の通信は、同時に反対方向へも信号が伝送される。また、図９に示すＯＶＰＮ終端装置３０および８０、ＳＤＨ網制御装置４０および６０、ＳＤＨクロスコネクト装置５０および７０はそれぞれ同一構成の装置であり、以下では、説明を簡単化するために、主としてＯＶＰＮ終端装置３０、ＳＤＨ網制御装置４０、ＳＤＨクロスコネクト装置５０について説明し、ＯＶＰＮ終端装置８０、ＳＤＨ網制御装置６０、ＳＤＨクロスコネクト装置７０の同一内容の説明は省略する。
【００４３】
第四実施例では、第一実施例で説明した信号判定部３７あるいは第三実施例で説明した信号判定トランク９０を用いることなく、図９および図１０に示す光スイッチ制御装置３１が光スイッチ３２を制御するフローによってユーザ装置２０−１、２１−１から送出されるデータ信号の種別を判定することを特徴とする。
【００４４】
すなわち、光スイッチ制御装置３１は、ユーザ装置２０−１、２１−１から送出されるデータ信号をコンバータ３３および３４に順次入力させその変換処理過程におけるエラーを検出し、エラーを検出しないコンバータ３３または３４をユーザ装置２０−１、２１−１から送出されるデータ信号に適合するコンバータとして選択する。
【００４５】
次に、第四実施例のコンバータ選択フローを図１１を参照しユーザ装置２０−１に着目して説明する。図１１に示すように、光スイッチ制御装置３１がユーザ装置２０−１から制御線を介してデータ信号送出通知を受信すると（ステップ１）、初期値としてｉ＝１に設定し（ステップ２）、ユーザ装置２０−１から到来するデータ信号をコンバータ＃１であるコンバータ３３に入力させる（ステップ３）。コンバータ３３は入力されたデータ信号に対して信号変換を実行するが、このときに、コンバータ３３に適合する信号フォーマットではない場合にはエラーが発生する。エラー発生の有無はコンバータ３３から光スイッチ制御装置３１に通知される（ステップ４）。エラーが発生しなかった場合には、コンバータ３３が適合するコンバータであるとしてユーザ装置２０−１からのデータ信号の変換をそのまま継続する（ステップ５）。また、エラーが発生した場合には、コンバータ３３は不適合なコンバータであるとして、ｉ＝ｉ＋１として２番目のコンバータ＃２であるコンバータ３４にユーザ装置２０−１からのデータ信号を入力させる（ステップ６）。コンバータ３４は入力されたデータ信号に対して信号変換を実行するが、このときに、コンバータ３４に適合する信号フォーマットではない場合にはエラーが発生する。エラー発生の有無はコンバータ３４から光スイッチ制御装置３１に通知される（ステップ４）。エラーが発生しなかった場合には、コンバータ３４が適合するコンバータであるとしてユーザ装置２０−１からのデータ信号の変換をそのまま継続する（ステップ５）。コンバータ３４でもエラーが発生した場合には、ｉは最大値（ＭＡＸ）の“２”になってしまったので（ステップ７）、もはや他のコンバータが存在しないため、信号変換に失敗した旨をユーザ装置２０−１に通知する（ステップ８）。
【００４６】
これにより、第一実施例および第三実施例で説明したような信号判定部３７または信号判定トランク９０を設けることなく、光スイッチ制御装置３１のフローによってデータ信号種別の判定を行うことができる。
【００４７】
光スイッチ制御装置３１がデータ信号の種別判定に要する期間は、送出されたデータ信号が失われる可能性があるので、本実施例では、当該期間は、ユーザ装置２０−１は、失われても通信に支障をきたさないテスト信号を送出することにした。
【００４８】
また、本実施例では、コンバータ３３および３４を備えた構成を例に挙げて説明したが、カプセリング部３５および３６を備えた構成であっても同様に説明することができる。すなわち、各カプセリング部３５および３６は、それぞれ決められた信号フォーマットに対してカプセリングおよびデカプセリングを行うように構成されており、不適合な信号フォーマットが入力された場合には、正常なカプセリングが実行できずにエラーを発生する。他の動作はコンバータ３３および３４の場合と同様である。
【００４９】
【発明の効果】
以上説明したように、本発明によれば、ユーザからの適用する信号フォーマットの設定要求変更に即応可能なＯＶＰＮ終端装置およびシステムを実現することができる。
【図面の簡単な説明】
【図１】第一実施例のＯＶＰＮ構成例を示す図。
【図２】第一実施例の信号判定部のブロック構成図。
【図３】第一実施例のＯＶＰＮ終端装置（その１）を説明するための図。
【図４】第一実施例のＯＶＰＮ終端装置（その２）を説明するための図。
【図５】第二実施例のＯＶＰＮ終端装置（その１）を説明するための図。
【図６】第二実施例のＯＶＰＮ終端装置（その２）を説明するための図。
【図７】第三実施例のＯＶＰＮ終端装置の構成例を示す図。
【図８】第三実施例の信号判定トランクのブロック構成図。
【図９】第四実施例のＯＶＰＮ構成例を示す図。
【図１０】第四実施例のＯＶＰＮ終端装置を説明するための図。
【図１１】第四実施例のＯＶＰＮ終端装置の動作を説明するためのフローチャート。
【図１２】従来のＯＶＰＮ構成例を示す図。
【符号の説明】
１、３、５、６、２３、２４、２５　専用線
７−１〜７−３　エラー検出部
８　判定部
９　切替器
１０、１１、１２　光クロスコネクト
２０−１、２０−２、２１−１、２１−２、２２−１、２２−２　ユーザ装置
１３、１４、１５　ＯＶＰＮ制御端末
３０、８０　ＯＶＰＮ終端装置
３１、８１　光スイッチ制御装置
３２、８２　光スイッチ
３３、３４、３３−１〜３、３４−１〜４、８３、８３−１〜３、８４−１〜４
コンバータ
３５、３６　カプセリング部
３７、８７　信号判定部
４０、６０　ＳＤＨ網制御装置
５０、７０　ＳＤＨクロスコネクト装置
９０　信号判定トランク
【図１】
2004080715.tif 000003
【図２】
2004080715.tif 000004
【図３】
2004080715.tif 000005
【図４】
2004080715.tif 000006
【図５】
2004080715.tif 000007
【図６】
2004080715.tif 000008
【図７】
2004080715.tif 000009
【図８】
2004080715.tif 000010
【図９】
2004080715.tif 000011
【図１０】
2004080715.tif 000012
【図１１】
2004080715.tif 000013
【図１２】
2004080715.tif 000014